(57)【要約】【課題】躯体への防水構造の施工を容易に行なうことができ、また、施工後の防水構造のメンテナンスも容易に行なうことができる防水構造を提供すること。【解決手段】防水構造１は、躯体１００上に敷設され、躯体１００に対する防水機能を有する防水シート２と、防水シート２を躯体１００に対して固定する防水シート固定用構造体３と、防水シート２上に配設されるブロック４と、ブロック４を躯体１００に対して固定するブロック固定用構造体５とを備える。ブロック固定用構造体５は、防水シート固定用構造体３を利用してブロック４を固定する。【選択図】図２
2018188925.tif 000002
【特許請求の範囲】
【請求項１】
躯体上に敷設され、該躯体に対する防水機能を有する防水シートと、
前記防水シートを前記躯体に対して固定する防水シート固定用構造体と、
前記防水シート上に配設されるブロックと、
前記ブロックを前記躯体に対して固定するブロック固定用構造体とを備え、
前記ブロック固定用構造体は、前記防水シート固定用構造体を利用して前記ブロックを固定することを特徴とする防水構造。
【請求項２】
前記ブロック固定用構造体は、前記ブロックの外縁部の一部が嵌まり込む枠部材と、
前記枠部材を前記防水シート固定用構造体に連結する連結部材とを有する請求項１に記載の防水構造。
【請求項３】
前記枠部材は、前記ブロックの上面側に位置し、前記ブロックの外縁部に沿った板状をなす第１板状部と、
前記ブロックの下面側に位置し、前記ブロックの外縁部に沿った板状をなす第２板状部と、
前記第１板状部と前記第２板状部とをつなぐ板状をなす第３板状部とで構成されており、
前記第１板状部と前記第２板状部と前記第３板状部とで囲まれた部分に、前記ブロックの外縁部の一部が嵌まり込む請求項２に記載の防水構造。
【請求項４】
前記連結部材は、前記第１板状部と前記第２板状部と前記第３板状部とで囲まれた部分の前記第２板状部側に配置されている請求項３に記載の防水構造。
【請求項５】
前記防水シート固定用構造体は、前記防水シートを前記躯体との間で挟持する挟持板を有するボルトを備え、
前記ブロック固定用構造体は、前記ボルトと螺合し、前記連結部材を固定するナットを有する請求項２ないし４のいずれか１項に記載の防水構造。
【請求項６】
前記防水シート固定用構造体は、前記防水シートを前記躯体との間で挟持する挟持板を有するボルトと、
前記躯体に埋設され、前記ボルトと螺合するアンカーと、
前記挟持板を覆う防水シート片と、
前記防水シート片上に配置された座板と、
前記アンカーと反対側で前記ボルトと螺合し、前記座板と前記防水シート片とを介して、前記挟持板に前記防水シートを挟持する挟持力を付与する少なくとも１つのナットとを有する請求項１ないし５のいずれか１項に記載の防水構造。
【請求項７】
前記防水シート固定用構造体は、前記防水シート片と前記座板との間に介挿された少なくとも１つのパッキンを有する請求項６に記載の防水構造。
【請求項８】
前記ブロックは、前記防水シートと反対側の面に溝が形成されたものか、または、前記防水シートと反対側の面が平面のものである請求項１ないし７のいずれか１項に記載の防水構造。
【請求項９】
前記ブロックは、中空のものである請求項１ないし８のいずれか１項に記載の防水構造。
【発明の詳細な説明】
【技術分野】
【０００１】
本発明は、防水構造に関する。
【背景技術】
【０００２】
近年、建築物の高耐久化が求められるに伴って、多くの建築物の屋上やベランダ等において、防水シート（樹脂シート）を敷設施工したシート防水構造が採用されている（例えば、非特許文献１参照）。
【０００３】
屋上で用いられる防水シートには、その防水シート上にコンクリートを打設して、コンクリート層が形成されることがある。このコンクリート層は、防水シートを保護する保護層として機能する。これにより、防水シートを長期間にわたって使用することができる。
【０００４】
しかしながら、コンクリートを打設する施工方法は、コンクリートを乾燥させなければならない等、施工日数が比較的多くかかってしまう。また、長期間にわたって使用した防水シートを交換するメンテナンスを行なう場合、打設されたコンクリートを取り除かねばならず、その作業も煩雑で容易なものではなかった。また、コンクリートの厚さによっては、防水シートのメンテナンスが不可能となる場合もあった。
【先行技術文献】
【非特許文献】
【０００５】
【非特許文献１】田島ルーフィング株式会社、”屋上防水とは”、[online]、平成２９年４月２６日、インターネット〈ＵＲＬ：http://www.tajima.jp/waterproof/index.html〉
【発明の概要】
【発明が解決しようとする課題】
【０００６】
本発明の目的は、躯体への防水構造の施工を容易に行なうことができ、また、施工後の防水構造のメンテナンスも容易に行なうことができる防水構造を提供することにある。
【課題を解決するための手段】
【０００７】
このような目的は、下記（１）〜（９）の本発明により達成される。
（１）  躯体上に敷設され、該躯体に対する防水機能を有する防水シートと、
前記防水シートを前記躯体に対して固定する防水シート固定用構造体と、
前記防水シート上に配設されるブロックと、
前記ブロックを前記躯体に対して固定するブロック固定用構造体とを備え、
前記ブロック固定用構造体は、前記防水シート固定用構造体を利用して前記ブロックを固定することを特徴とする防水構造。
【０００８】
（２）  前記ブロック固定用構造体は、前記ブロックの外縁部の一部が嵌まり込む枠部材と、
前記枠部材を前記防水シート固定用構造体に連結する連結部材とを有する上記（１）に記載の防水構造。
【０００９】
（３）  前記枠部材は、前記ブロックの上面側に位置し、前記ブロックの外縁部に沿った板状をなす第１板状部と、
前記ブロックの下面側に位置し、前記ブロックの外縁部に沿った板状をなす第２板状部と、
前記第１板状部と前記第２板状部とをつなぐ板状をなす第３板状部とで構成されており、
前記第１板状部と前記第２板状部と前記第３板状部とで囲まれた部分に、前記ブロックの外縁部の一部が嵌まり込む上記（２）に記載の防水構造。
【００１０】
（４）  前記連結部材は、前記第１板状部と前記第２板状部と前記第３板状部とで囲まれた部分の前記第２板状部側に配置されている上記（３）に記載の防水構造。
【００１１】
（５）  前記防水シート固定用構造体は、前記防水シートを前記躯体との間で挟持する挟持板を有するボルトを備え、
前記ブロック固定用構造体は、前記ボルトと螺合し、前記連結部材を固定するナットを有する上記（２）ないし（４）のいずれかに記載の防水構造。
【００１２】
（６）  前記防水シート固定用構造体は、前記防水シートを前記躯体との間で挟持する挟持板を有するボルトと、
前記躯体に埋設され、前記ボルトと螺合するアンカーと、
前記挟持板を覆う防水シート片と、
前記防水シート片上に配置された座板と、
前記アンカーと反対側で前記ボルトと螺合し、前記座板と前記防水シート片とを介して、前記挟持板に前記防水シートを挟持する挟持力を付与する少なくとも１つのナットとを有する上記（１）ないし（５）のいずれかに記載の防水構造。
【００１３】
（７）  前記防水シート固定用構造体は、前記防水シート片と前記座板との間に介挿された少なくとも１つのパッキンを有する上記（６）に記載の防水構造。
【００１４】
（８）  前記ブロックは、前記防水シートと反対側の面に溝が形成されたものか、または、前記防水シートと反対側の面が平面のものである上記（１）ないし（７）のいずれかに記載の防水構造。
【００１５】
（９）  前記ブロックは、中空のものである上記（１）ないし（８）のいずれかに記載の防水構造。
【発明の効果】
【００１６】
本発明によれば、躯体への防水構造の施工を容易に行なうことができ、また、施工後の防水構造のメンテナンスも容易に行なうことができる。
【図面の簡単な説明】
【００１７】
【図１】図１は、本発明の防水構造の第１実施形態を示す鉛直部分断面図である。
【図２】図２は、図１中の二点鎖線で囲まれた領域［Ａ］の拡大詳細断面図である。
【図３】図３は、図１に示す防水構造が備えるブロックの斜視図である。
【図４】図４は、本発明の防水構造（第２実施形態）が備えるブロックの斜視図である。
【図５】図５は、本発明の防水構造（第３実施形態）が備えるブロックの斜視図である。
【図６】図６は、本発明の防水構造（第４実施形態）が備えるブロックの斜視図である。
【発明を実施するための形態】
【００１８】
以下、本発明の防水構造を添付図面に示す好適な実施形態に基づいて詳細に説明する。
＜第１実施形態＞
図１は、本発明の防水構造の第１実施形態を示す鉛直部分断面図である。図２は、図１中の二点鎖線で囲まれた領域［Ａ］の拡大詳細断面図である。図３は、図１に示す防水構造が備えるブロックの斜視図である。なお、以下では、説明の都合上、図１〜図３中（図４〜図６についても同様）の上側を「上（または上方）」、下側を「下（または下方）」と言う。
【００１９】
図１、図２に示すように、躯体１００は、防水構造１によって防水処理が施されている。防水構造１が施工される躯体１００の箇所としては、例えば本実施形態では、躯体１００が有する屋上の床面１０１としている。
【００２０】
防水構造１は、防水シート２と、防水シート固定用構造体３と、ブロック４と、ブロック固定用構造体５とを備えている。以下、各部の構成について説明する。
【００２１】
防水シート２は、躯体１００上、すなわち、本実施形態では床面１０１の防水処理を要する部分に敷設され、床面１０１に対する防水機能を有する。
【００２２】
防水シート２は、可撓性を有する樹脂材料で構成されている。この樹脂材料としては、特に限定されないが、例えば、ポリ塩化ビニルのような塩化ビニル系樹脂、ポリオレフィン系樹脂、エチレン酢酸ビニル共重合体等が挙げられ、これらのうちの１種または２種以上を組み合わせて用いることができる。これらの中でも、塩化ビニル系樹脂であることが好ましい。なお、塩化ビニル系樹脂としては、塩化ビニルを含む重合体、すなわちオリゴマー、プレポリマーおよびポリマーであれば特に限定されないが、例えば、塩化ビニルの単量重合体、または塩化ビニルと、酢酸ビニル、エチレン、もしくはプロピレン等との共重合体、およびこれらの２種以上の重合体の混合物等が挙げられる。
【００２３】
防水シート２の厚さは、０．５ｍｍ以上４．０ｍｍ以下であるのが好ましく、１．０ｍｍ以上２．５ｍｍ以下であるのがより好ましい。
【００２４】
また、防水シート２は、単層のものであってもよいし、積層のものであってもよい。
防水シート固定用構造体３は、防水シート２を床面１０１（躯体１００）に対して固定するものである。図１に示すように、防水シート固定用構造体３は、間隔を置いて複数の箇所に配置されている。これにより、防水シート２を複数箇所で固定することができ、よって、例えば風雨による防水シート２のめくれ等を確実に防止することができる。
【００２５】
図２に示すように、防水シート固定用構造体３は、ボルト３１と、アンカー３２と、防水シート片３３と、パッキン３４ａと、パッキン３４ｂと、座板３５と、ワッシャー３６と、ナット３７ａと、ナット３７ｂとを有している。
【００２６】
アンカー３２は、円筒状をなし、その内周部に雌ネジ３２１が形成されている。また、アンカー３２は、この防水シート２を貫通しており、躯体１００に埋設されて、すなわち、打ち込まれている。これにより、アンカー３２は、床面１０１に対して固定された状態となる。
【００２７】
ボルト３１は、ボルト本体３１１と、挟持板３１２とを有している。
ボルト本体３１１は、横断面形状が円形の棒状をなし、その外周部に雄ネジ３１３が形成されている。雄ネジ３１３は、アンカー３２の雌ネジ３２１と螺合する。これにより、ボルト本体３１１は、床面１０１に対して直立した姿勢でアンカー３２に支持される。
【００２８】
挟持板３１２は、ボルト本体３１１の長手方向の途中に固定されている。挟持板３１２は、例えば円板状をなし、その面方向がボルト本体３１１の長手方向に対して直交する方向となるように配置されている。そして、ボルト本体３１１をアンカー３２に螺合していくと、その螺合限界位置で挟持板３１２が防水シート２に当接して、押し付けられる。これにより、防水シート２を床面１０１（躯体１００）との間で挟持することができ、よって、防水シート２が床面１０１に対して固定されることとなる。
【００２９】
防水シート片３３は、ボルト３１の挟持板３１２上に重ねて配置され、挟持板３１２を覆うものである。また、防水シート片３３の中心部（中央部）をボルト３１のボルト本体３１１が挿通している。この防水シート片３３は、挟持板３１２に重なった状態で、挟持板３１２を十分に包含することができる程度の大きさとなっている。これにより、防水シート２のアンカー３２が貫通した部分の防水性が確保される。なお、防水シート片３３の形状としては、特に限定されず、例えば、挟持板３１２と同様の円板状をなすのが好ましい。また、防水シート片３３は、挟持板３１２や防水シート２に接合されているのが好ましい。これにより、例えば風雨による防水シート片３３のめくれ等を確実に防止することができる。この接合方法としては、特に限定されず、例えば、融着（熱融着、高周波融着、超音波融着等）を用いた方法、接着剤を用いた方法等が挙げられる。また、防水シート片３３の構成材料としては、特に限定されず、例えば、防水シート２の構成材料と同じものを用いることができる。
【００３０】
防水シート片３３上には、例えば金属材料で構成された硬質の座板３５が配置され、この座板３５と防水シート片３３との間には、パッキン３４ａとパッキン３４ｂとが介挿されている。そして、アンカー３２と反対側では、ナット３７ａとナット３７ｂとがボルト３１のボルト本体３１１と螺合している。なお、座板３５、パッキン３４ａ、パッキン３４ｂは、それぞれ、平面視で挟持板３１２と同じ大きさとなっているのが好ましい。
【００３１】
ナット３７ａは、ワッシャー３６を介して座板３５を下方に向かって押し付けている。これにより、座板３５、パッキン３４ｂ、パッキン３４ａ、防水シート片３３を順に介して、挟持板３１２に対し、防水シート２を挟持する挟持力を付与することができる。この挟持力により、前述したように、防水シート２を床面１０１に対して固定することができる。
【００３２】
また、ナット３７ｂは、ナット３７ａに当接している。この当接により、ナット３７ａが緩むのを防止することができ、よって、防水シート２を挟持する挟持板３１２の挟持力付与状態を維持することができる。これにより、防水シート２は、床面１０１上で安定して敷設された状態となり、長期間にわたって、防水機能を確実に発揮することができる。
【００３３】
また、座板３５と防水シート片３３との間にパッキン３４ａとパッキン３４ｂとが介挿されていることにより、防水シート２のアンカー３２が貫通した部分への防水性が確保される。
【００３４】
なお、パッキン３４ａとパッキン３４ｂとは、同じ厚さであってもよいし、互いに異なる厚さであってもよい。また、パッキン３４ａとパッキン３４ｂとは、同じ構成材料で構成されていてもよいし、互いに異なる構成材料で構成されていてもよい。
【００３５】
また、防水シート固定用構造体３では、パッキン３４ａおよびパッキン３４ｂのうちの一方を省略してもよい。また、パッキン３４ａおよびパッキン３４ｂの他に、さらにパッキンを追加してもよい。
【００３６】
図１に示すように、防水シート２上には、複数のブロック４が配設される。ブロック４は、防水シート２を保護する保護部材として機能する。これにより、防水シート２を長期間にわたって使用することができる。また、ブロック４は、防水シート固定用構造体３と相まって、例えば風雨による防水シート２のめくれ等をより確実に防止することができる。
【００３７】
図３に示すように、ブロック４は、偏平形状をなし、その平面視での形状が正方形をなすものである。この正方形をなすブロック４の１辺の長さは、特に限定されず、例えば、３００ｍｍ以上１０００ｍｍ以下であるのが好ましく、５００ｍｍ以上８００ｍｍ以下であるのがより好ましい。また、ブロック４の厚さは、特に限定されず、例えば、１０ｍｍ以上１００ｍｍ以下であるのが好ましく、２０ｍｍ以上５０ｍｍ以下であるのがより好ましい。なお、ブロック４の平面視での形状は、正方形に限定されず、例えば、長方形等のような四角形とすることもできる。
【００３８】
また、ブロック４の外縁部（周囲）は、前記正方形の各辺に沿って、第１外縁部４６１と、第２外縁部４６２と、第３外縁部４６３と、第４外縁部４６４とに分けることができる。第１外縁部４６１〜第４外縁部４６４のうち、第１外縁部４６１と第３外縁部４６３とが互いに反対方向に臨んでおり、第２外縁部４６２と第４外縁部４６４とが互いに反対方向に臨んでいる。
【００３９】
ブロック４は、防水シート２と反対側の面、すなわち、上面（表面）４１が平面のものとなっている。これにより、例えば、施工後に人がブロック４の上を歩いたときに、歩き易く、つまずくのを防止することができる。
【００４０】
図２に示すように、ブロック４は、下面（裏面）４２に凹部４３が形成されており、中空のものとなっている。これにより、ブロック４の軽量化を図ることができ、よって、施工時のブロック４の運搬を容易に行なうことができたり、施工後のブロック４による躯体１００への負荷を低減することもできる。
【００４１】
なお、ブロック４は、例えば、炭酸カルシウムペレットとホワイトセメントとに酸化チタンを混合したもので構成されている。これにより、ブロック４は、耐久性の高いものとなり、また、躯体１００に対して遮熱性を有するものとなる。
【００４２】
また、ブロック４は、単層のものであってもよいし、積層のものであってもよい。
ブロック固定用構造体５は、ブロック４を床面１０１（躯体１００）に対して固定するものである。図１に示すように、ブロック固定用構造体５は、各防水シート固定用構造体３上に配置されている。
【００４３】
図２に示すように、ブロック固定用構造体５は、第１枠部材（枠部材）５１と、第２枠部材５２と、連結部材５６とを有している。以下では、説明の都合上、図２中の左側（図１中では中央）のブロック４を「ブロック４Ａ」と言い、右側（図１中でも右側）のブロック４を「ブロック４Ｂ」と言う。
【００４４】
第１枠部材５１と第２枠部材５２とは、それぞれ、長尺体で構成され、その横断面形状が「Ｃ」字状または「Ｕ」字状をなす部材である。第１枠部材５１は、ブロック４Ａの第１外縁部４６１（外縁部の一部）が嵌まり込んで、ブロック４Ａを支持することができる。第２枠部材５２は、ブロック４Ｂの第３外縁部４６３（外縁部の一部）が嵌まり込んで、ブロック４Ｂを支持することができる。なお、ブロック４Ａは、第１外縁部４６１と反対側、すなわち、第３外縁部４６３が、他の（図１中左側の）ブロック固定用構造体５の第２枠部材５２に支持されており、第１枠部材５１と相まって、両持ち支持された状態となっている（図１参照）。同様に、ブロック４Ｂは、第３外縁部４６３と反対側、すなわち、第３外縁部４６３が、他の第１枠部材５１に支持されており、第２枠部材５２と相まって、両持ち支持された状態となっている。
【００４５】
ブロック固定用構造体５において、第１枠部材５１と第２枠部材５２とは、配置箇所および配置向きが異なること以外は、同じ構成であるため、第１枠部材５１について代表的に説明する。
【００４６】
図２に示すように、第１枠部材５１は、第１板状部５３と、第２板状部５４と、第３板状部５５とで構成されている。第１板状部５３と第２板状部５４と第３板状部５５とは、一体的に形成されている。
【００４７】
第１板状部５３は、ブロック４Ａの上面４１側に位置し、ブロック４Ａの第１外縁部４６１に沿った板状をなす部分である。
【００４８】
第２板状部５４は、ブロック４Ａの下面４２側に位置し、第１板状部５３と同様に第１外縁部４６１に沿った板状をなす部分である。なお、ボルト３１のボルト本体３１１は、ナット３７ａ、ナット３７ｂおよびワッシャー３６とともに第２板状部５４を挿通している。
【００４９】
第３板状部５５は、第１板状部５３と第２板状部５４とをつなぎ、第１板状部５３と同様に第１外縁部４６１に沿った板状をなす部分である。
【００５０】
そして、第１板状部５３と第２板状部５４と第３板状部５５とで囲まれた部分に、ブロック４Ａの第１外縁部４６１が嵌まり込むことができる。これにより、ブロック４Ａは、第１外縁部４６１側が支持、固定される。
【００５１】
なお、第１枠部材５１と第２枠部材５２とは、第３板状部５５同士がボルト５９とナット６０とを介して連結されている。ボルト５９は、第１枠部材５１側から第３板状部５５同士を貫通している。ナット６０は、第２枠部材５２側からボルト５９に螺合している。これにより、第１枠部材５１と第２枠部材５２とを連結することができる。また、ボルト５９のネジ頭と第１枠部材５１の第３板状部５５との間には、ワッシャー６１が配置されており、ナット６０と第２枠部材５２の第３板状部５５との間には、ワッシャー６２が配置されているのが好ましい。
【００５２】
図２に示すように、連結部材５６は、第１枠部材５１を防水シート固定用構造体３に連結する部材である。これにより、第１枠部材５１に嵌まり込んだブロック４Ａを第１枠部材５１ごと確実に固定することができる。
【００５３】
連結部材５６は、第１板状部５３と第２板状部５４と第３板状部５５とで囲まれた部分の第２板状部５４側に配置されている。これにより、連結部材５６を介して、第１枠部材５１を防水シート固定用構造体３に向かって押し付けることができ、よって、第１枠部材５１の固定が強固な状態となる。
【００５４】
なお、ブロック４Ａには、第１板状部５３と第２板状部５４と第３板状部５５とで囲まれた部分に配置された連結部材５６やボルト５９等との干渉を防止する逃げ部４７が形成されている。また、ブロック４Ｂにも、第１板状部５３と第２板状部５４と第３板状部５５とで囲まれた部分に配置されたナット６０等との干渉を防止する逃げ部４８が形成されている。逃げ部４７と逃げ部４８とは、それぞれ、下面４２側に開口する凹部で構成されている。
【００５５】
連結部材５６は、一対の脚部５６１と、頭部５６２とを有しており、これら各部が一体的に形成されている。各脚部５６１は、互いに離間しており、第１枠部材５１の第２板状部５４に当接している。頭部５６２は、一対の脚部５６１の間に位置し、ボルト３１のボルト本体３１１が挿通している。
【００５６】
そして、この連結部材５６は、ボルト３１のボルト本体３１１と螺合しているナット３７ｂよりもさらに上側で、ボルト本体３１１と螺合するナット５７によって上側から押し付けられて、固定されている。これにより、ブロック固定用構造体５全体が防水シート固定用構造体３に固定され、これに伴い、ブロック４Ａも固定されることとなる。なお、連結部材５６の頭部５６２とナット５７との間には、ワッシャー５８が配置されているのが好ましい。
【００５７】
このようにブロック固定用構造体５は、防水シート固定用構造体３の構成を変更することなく、防水シート固定用構造体３のボルト３１（ボルト本体３１１）をそのまま利用して、ブロック４を固定することができる。これにより、例えば躯体１００（床面１０１）にブロック固定用構造体５を固定するためのネジ穴等を設けるのを省略することができ、よって、躯体１００への防水構造１の施工を容易に行なうことができる。
【００５８】
また、防水構造１の施工後に、例えば防水シート２を交換する等のメンテナンスを行なう場合、ブロック固定用構造体５による固定の解除、防水シート固定用構造体３による固定の解除を順に行なえば、防水シート２を床面１０１から容易に取り除くことができる。このように施工後のメンテナンスも容易に行なうことができる。
【００５９】
＜第２実施形態＞
図４は、本発明の防水構造（第２実施形態）が備えるブロックの斜視図である。
【００６０】
以下、この図を参照して本発明の防水構造の第２実施形態について説明するが、前述した実施形態との相違点を中心に説明し、同様の事項はその説明を省略する。
本実施形態は、ブロックの形状が異なること以外は前記第１実施形態と同様である。
【００６１】
図４に示すように、本実施形態では、ブロック４は、上面４１に凹部４４が形成されており、中空のものとなっている。凹部４４には、屋上緑化用の土を敷き詰めることができる。これにより、例えば、芝を育てて、屋上を緑化することができる。この緑化により、例えば、次のような効果を奏する。
【００６２】
・ヒートアイランド現象の緩和
・夏期の躯体１００内の温度上昇の軽減、冬季の躯体１００内の保温効果による省エネ効果
・酸性雨、紫外線による防水シート２の劣化防止
・１年を通しての温度変化による防水シート２の劣化防止
・躯体１００の使用者の精神の安定、肉体疲労の回復促進、ストレス解消効果
・空気清浄化効果
・火事が生じた場合の延焼防止効果
【００６３】
＜第３実施形態＞
図５は、本発明の防水構造（第３実施形態）が備えるブロックの斜視図である。
【００６４】
以下、この図を参照して本発明の防水構造の第３実施形態について説明するが、前述した実施形態との相違点を中心に説明し、同様の事項はその説明を省略する。
本実施形態は、ブロックの形状が異なること以外は前記第１実施形態と同様である。
【００６５】
図５に示すように、本実施形態では、ブロック４は、防水シート２と反対側の面、すなわち、上面４１に２本の溝４５が形成されたものとなっている。このブロック４を水平方向に対して若干（例えば１度以上５度以下）傾斜させて施工した場合、その傾斜方向に沿って配置された溝４５は、雨水等の排水溝として機能する。これにより、ブロック４は、水はけがよいものとなる。
【００６６】
＜第４実施形態＞
図６は、本発明の防水構造（第４実施形態）が備えるブロックの斜視図である。
【００６７】
以下、この図を参照して本発明の防水構造の第４実施形態について説明するが、前述した実施形態との相違点を中心に説明し、同様の事項はその説明を省略する。
本実施形態は、溝の本数が異なること以外は前記第３実施形態と同様である。
【００６８】
図６に示すように、本実施形態では、ブロック４は、上面４１に１本の溝４５が形成されたものとなっている。これにより、本実施形態でも、前記第３実施形態と同様、溝４５が雨水等の排水溝として機能する。
【００６９】
以上、本発明の防水構造を図示の実施形態について説明したが、本発明は、これに限定されるものではなく、防水構造を構成する各部は、同様の機能を発揮し得る任意の構成のものと置換することができる。また、任意の構成物が付加されていてもよい。
【００７０】
また、本発明の防水構造は、前記各実施形態のうちの、任意の２以上の構成（特徴）を組み合わせたものであってもよい。
【００７１】
また、防水構造が施工される躯体の箇所としては、前記実施形態では屋上であったが、これに限定されず、例えば、ベランダ、庇、廊下であってもよい。
【００７２】
また、防水構造は、ブロック固定用構造体の他に、ブロック固定用構造体による固定を補助する補助固定用構造体を備えていてもよい。補助固定用構造体としては、特に限定されず、例えば、両端部が支持された線状体または棒状体を有し、この線状体または棒状体がブロックをその上側から押さえ付けて固定するよう構成されたものが挙げられる。
【００７３】
また、防水構造は、防水シート固定用構造体の他に、さらに防水シート固定用構造体による固定を補助する固定用ディスクを備えていてもよい。固定用ディスクとしては、例えば、防水シートの裏側に配置された金属製の板部材と、板部材の表側の面に形成され、防水シートの裏側の面と融着される樹脂層とを有するものを用いることができる。
【符号の説明】
【００７４】
１            防水構造
２            防水シート
３            防水シート固定用構造体
３１          ボルト
３１１        ボルト本体
３１２        挟持板
３１３        雄ネジ
３２          アンカー
３２１        雌ネジ
３３          防水シート片
３４ａ、３４ｂ  パッキン
３５          座板
３６          ワッシャー
３７ａ、３７ｂ  ナット
４、４Ａ、４Ｂ  ブロック
４１          上面（表面）
４２          下面（裏面）
４３、４４    凹部
４５          溝
４６１        第１外縁部
４６２        第２外縁部
４６３        第３外縁部
４６４        第４外縁部
４７、４８    逃げ部
５            ブロック固定用構造体
５１          第１枠部材（枠部材）
５２          第２枠部材
５３          第１板状部
５４          第２板状部
５５          第３板状部
５６          連結部材
５６１        脚部
５６２        頭部
５７          ナット
５８          ワッシャー
５９          ボルト
６０          ナット
６１、６２    ワッシャー
１００        躯体
１０１        床面
【図１】
2018188925.tif 000003
【図２】
2018188925.tif 000004
【図３】
2018188925.tif 000005
【図４】
2018188925.tif 000006
【図５】
2018188925.tif 000007
【図６】
2018188925.tif 000008